(57)【要約】【課題】使用者が積極的に施設を探す操作をする必要がなく、適切なタイミングでおすすめできる施設を使用者に提示することを目的とする。【解決手段】  施設の詳細な情報を表示することが出来る施設情報表示装置であって、現在位置を検出する現在位置検出手段と、現在日時を検出する現在日時検出手段と、情報を表示する表示手段と、施設の位置情報と共に施設の詳細な情報を保持するデータベースと、現在位置検出手段で検出された現在位置を中心とする一定の範囲内にある施設をデータベースから検索する情報検索手段と、現在日時検出手段で検出された日時情報に基づいてあらかじめ定められた分類規則に従い検索すべき施設の分類を特定する検索施設分類特定手段と、現在日時検出手段で検出された日時情報に基づいてあらかじめ定められた起動規則に従い情報検索手段を自動的に起動させる情報検索起動手段とを備え、情報検索手段の検索結果を前記表示手段に表示する。【選択図】図２
2013047615.tif 000002
【特許請求の範囲】
【請求項１】
施設の詳細な情報を表示することが出来る施設情報表示装置であって、
現在位置を検出する現在位置検出手段と、
現在日時を検出する現在日時検出手段と、
情報を表示する表示手段と、
施設の位置情報と共に前記施設の詳細な情報を保持するデータベースと、
前記現在位置検出手段で検出された現在位置を中心とする一定の範囲内にある施設を前記データベースから検索する情報検索手段と、
前記現在日時検出手段で検出された日時情報に基づいてあらかじめ定められた分類規則に従い検索すべき施設の分類を特定する検索施設分類特定手段と、
前記現在日時検出手段で検出された日時情報に基づいてあらかじめ定められた起動規則に従い前記情報検索手段を自動的に起動させる情報検索起動手段と、を備え、
前記情報検索手段の検索結果を前記表示手段に表示することを特徴とする施設情報表示装置。
【請求項２】
様々な情報が保持されると共に前記情報が更新可能に構成された情報サーバと、
前記情報サーバと通信を行い取得した情報を表示することができる施設情報表示装置で構成された施設情報表示システムであって、
前記情報サーバは、
施設の位置情報と共に前記施設の詳細情報を保持するデータベースと、
前記施設情報表示装置と通信を行う通信手段と、を備え、
前記施設情報表示装置は、
現在位置を検出する現在位置検出手段と、
現在日時を検出する現在日時検出手段と、
情報を表示する表示手段と、
前記現在位置検出手段で検出された現在位置を中心とする一定の範囲内にある施設情報を前記データベースで検索する情報検索手段と、
前記現在日時検出手段で検出された日時情報に基づいてあらかじめ定められた分類規則に従い検索すべき施設の分類を特定する検索施設分類特定手段と、
前記現在日時検出手段で検出された日時情報に基づいてあらかじめ定められた起動規則に従い前記情報検索手段を自動的に起動させる情報検索起動手段と、を備え、
前記情報検索起動手段で前記情報検索手段の起動毎に得られる検索結果を前記表示手段に表示することを特徴する施設情報表示システム。
【請求項３】
前記施設情報表示装置は、各種操作を行う入力手段をさらに備え、
前記情報検索起動手段の起動頻度の変更及び／又は前記検索施設分類特定手段が特定する分類を設定可能に構成した事を特徴とする請求項１又は２に記載の施設情報表示装置。
【請求項４】
前記情報検索起動手段のあらかじめ定められた起動規則は、前記表示手段の消灯状態から点灯状態に変化したとき、または特定の時刻、または前回起動からの一定時間経過、のいずれかひとつ以上を起動条件とし前記日時情報に基づいて前記情報検索手段を自動的に起動させることを特徴とする請求項１から請求項３のいずれかに記載の施設情報表示装置。
【請求項５】
前記検索施設分類特定手段のあらかじめ定められた分類規則は、施設の分類ごとに、日単位の特定の期間、または分単位の特定の時間帯、のいずれか一以上を組み合わせたものを分類規則とし、前記分類規則を用いて第一の期間を定めると共に、現在時刻が前記第一の期間内にある場合に検索する分類を特定することを特徴とする請求項１から請求項４のいずれかに記載の施設情報表示装置。
【請求項６】
前記検索施設分類特定手段のあらかじめ定められた分類規則は、施設の分類ごとに第二の分単位の特定の時間帯を分類規則とし、前記第二の時間内に現在時刻がある場合は、他の分類よりも優先して施設を検索する分類を特定することを特徴とする請求項１から請求項５のいずれかに記載の施設情報表示装置。
【請求項７】
前記情報検索手段は、現在位置から一定距離以下に存在する施設は検索結果から除外又は前記施設と同じ分類の施設を検索結果から除外することを特徴とする請求項１から請求項６のいずれかに記載の施設情報表示装置。
【請求項８】
前記情報検索手段は、過去の一定期間に検索結果として表示した施設を検索結果から除外することを特徴とする請求項１から請求項７のいずれかに記載の施設情報表示装置。
【発明の詳細な説明】
【技術分野】
【０００１】
本発明は、現在位置付近にあるおすすめの施設などを適切なタイミングで自動的に抽出して使用者に提示することができる施設情報表示装置及び施設情報表示システムに関する。
【背景技術】
【０００２】
一般的な施設情報表示装置は、例えばカーナビゲーション装置や、ＰＮＤ（Ｐｏｒｔａｂｌｅ  Ｎａｖｉｇａｔｉｏｎ  Ｄｅｖｉｃｅ：持ち運び可能ナビゲーション）装置、ＰＤＡ（小型情報端末）や携帯電話のインターネットブラウザ機能を利用した施設情報表示機能が知られている。これら一般的な施設情報表示装置では、使用者が現在地付近にある施設を探したいとき、探したい施設の分類を特定の操作により指定することで、画面上に一覧表示させたり、地図上に施設のマークを重畳表示させたりすることができる。この検索結果の中から使用者が所望する施設を探し出して選択操作を行うことで、その施設の詳細な情報を表示したり、その施設までの経路を探索することが出来るように構成されている。
【０００３】
このような施設情報表示装置を用いて旅行などに出かける場合、訪れたい施設などを見つけるには、使用者が積極的に端末装置を操作して探し出す必要がある。具体的には、昼食をとるためのレストランなどを見つけるには、「食事」という分類を指定する操作を端末装置で行う必要がある。また、有名な観光地に訪れたい場合も同様に、「観光地」という分類を指定する操作を端末装置で行う必要があり、加えて、分類を指定した後に表示される一覧から、所望の施設を探し出す必要がある。
【０００４】
このように、従来の施設情報表示装置では、探したい分類を指定し表示された一覧の中から所望の施設を探し出す行為を使用者が行う必要があった。このような課題を解消するために、使用者の行動を予測し使用者の嗜好からコンテンツを自動的に選択抽出して提示する装置が開示されている（例えば特許文献１参照）。
【先行技術文献】
【特許文献】
【０００５】
【特許文献１】特開２００９−１３９１２９号公報
【発明の概要】
【発明が解決しようとする課題】
【０００６】
しかしながら特許文献１に開示される従来の施設情報表示装置では、行動の予測とコンテンツの抽出は装置の起動時及び使用者による操作が行われたときだけであったため、使用者が施設を探したいときに積極的に操作を行う必要があるという課題がある。特に、使用者が知らない施設であって本当は興味がある施設（例えば、雑貨店や趣味のお店など）のすぐそばを散策中であっても、偶然そのタイミングで使用者が探す操作を行わない限り、使用者の興味がある新たな施設を使用者は知ることが出来ないという課題があった。
【０００７】
また、旅行中に食事をとる施設を探す行為にしても、一般的に食事をする時間帯は決まっているにも関わらず、従来の施設情報表示装置では、使用者が昼ごろや夕方ごろに食事をしようとした場合、必ず食事の施設を探す操作を行う必要があるという課題があった。
【０００８】
従って本発明の目的は、使用者が積極的に施設を探す操作をする必要がなく、適切なタイミングでおすすめできる施設を使用者に提示することができる施設情報表示装置及び施設情報表示システムを提供することを目的とする。
【課題を解決するための手段】
【０００９】
上記目的を達成するために本発明の施設情報表示装置は、施設の詳細な情報を表示することが出来る施設情報表示装置であって、現在位置を検出する現在位置検出手段と、現在日時を検出する現在日時検出手段と、情報を表示する表示手段と、施設の位置情報と共に前記施設の詳細な情報を保持するデータベースと、前記現在位置検出手段で検出された現在位置を中心とする一定の範囲内にある施設を前記データベースから検索する情報検索手段と、前記現在日時検出手段で検出された日時情報に基づいてあらかじめ定められた分類規則に従い検索すべき施設の分類を特定する検索施設分類特定手段と、前記現在日時検出手段で検出された日時情報に基づいてあらかじめ定められた起動規則に従い前記情報検索手段を自動的に起動させる情報検索起動手段と、を備え、前記情報検索手段の検索結果を前記表示手段に表示することを特徴とする。
【００１０】
このように構成された本発明の施設情報表示装置によれば、使用者が積極的に施設を探す操作をする必要がなく、適切なタイミングでおすすめできる施設を、施設情報データベースから検索して、使用者に提示することができるように構成されている。
【００１１】
また、本発明の施設情報表示システムは、様々な情報が保持されると共に前記情報が更新可能に構成された情報サーバと、前記情報サーバと通信を行い取得した情報を表示することができる施設情報表示装置で構成された施設情報表示システムであって、前記情報サーバは、施設の位置情報と共に前記施設の詳細情報を保持するデータベースと、前記施設情報表示装置と通信を行う通信手段と、を備え、前記施設情報表示装置は、現在位置を検出する現在位置検出手段と、現在日時を検出する現在日時検出手段と、情報を表示する表示手段と、前記現在位置検出手段で検出された現在位置を中心とする一定の範囲内にある施設情報を前記データベースで検索する情報検索手段と、前記現在日時検出手段で検出された日時情報に基づいてあらかじめ定められた分類規則に従い検索すべき施設の分類を特定する検索施設分類特定手段と、前記現在日時検出手段で検出された日時情報に基づいてあらかじめ定められた起動規則に従い前記情報検索手段を自動的に起動させる情報検索起動手段と、を備え、前記情報検索起動手段で前記情報検索手段の起動毎に得られる検索結果を前記表示手段に表示することを特徴する。
【００１２】
このように構成された本発明の施設情報表示システムによれば、使用者が積極的に施設を探す操作をする必要がなく、適切なタイミングでおすすめできる施設を、情報サーバの施設情報データベースから検索して、使用者に提示することができるように構成されている。
【００１３】
また、本発明の前記施設情報表示装置は、各種操作を行う入力手段をさらに備え、前記情報検索起動手段の起動頻度の変更及び／又は前記検索施設分類特定手段が特定する分類を設定可能に構成した事を特徴とする。
【００１４】
このように構成された本発明の施設情報表示装置によれば、施設をおすすめ表示する頻度と施設の分類を、使用者の好みや使用状況に応じて変更することができる。
【００１５】
また、本発明の前記施設情報表示装置の前記情報検索起動手段のあらかじめ定められた起動規則は、前記表示手段の消灯状態から点灯状態に変化したとき、または特定の時刻、または前回起動からの一定時間経過、のいずれかひとつ以上を起動条件とし前記日時情報に基づいて前記情報検索手段を自動的に起動させることを特徴とする。
【００１６】
このように構成された本発明の施設情報表示装置によれば、適切な頻度とタイミングで施設をおすすめ表示することができる。
【００１７】
また、本発明の前記施設情報表示装置の前記検索施設分類特定手段のあらかじめ定められた分類規則は、施設の分類ごとに、日単位の特定の期間、または分単位の特定の時間帯、のいずれか一以上を組み合わせたものを分類規則とし、前記分類規則を用いて第一の期間を定めると共に、現在時刻が前記第一の期間内にある場合に検索する分類を特定することを特徴とする。
【００１８】
このように構成された本発明の施設情報表示装置によれば、施設をおすすめ表示する際、その施設分類に  適した期間のみ表示することが出来る。例えば、桜の名所は桜の季節だけおすすめ表示され、お店は開店時間である日中のみおすすめ表示される。
【００１９】
また、本発明の前記施設情報表示装置の前記検索施設分類特定手段のあらかじめ定められた分類規則は、施設の分類ごとに第二の分単位の特定の時間帯を分類規則とし、前記第二の時間内に現在時刻がある場合は、他の分類よりも優先して施設を検索する分類を特定することを特徴とする。
【００２０】
このように構成された本発明の施設情報表示装置によれば、例えば正午前後などは、観光地やお店よりも、昼食をとる食事店を優先しておすすめ表示するなど、現在時刻に適した施設を優先的におすすめ表示することが出来る。
【００２１】
また、本発明の前記施設情報表示装置の前記情報検索手段は、現在位置から一定距離以下に存在する施設は検索結果から除外又は前記施設と同じ分類の施設を検索結果から除外することを特徴とする。
【００２２】
このように構成された本発明の施設情報表示装置によれば、施設をおすすめ表示する際、今まさに滞在中の施設や、滞在中の施設と同じ業態の施設を、表示から除外し、適切な施設のみを表示することができる。
【００２３】
また、本発明の前記施設情報表示装置の前記情報検索手段は、過去の一定期間に検索結果として表示した施設は、検索結果から除外することを特徴とする。
【００２４】
このように構成された本発明の施設情報表示装置によれば、過去におすすめした施設を除外して表示するので、その場所を訪れるたびに異なった施設をおすすめ表示することができる。
【発明の効果】
【００２５】
本発明によれば、使用者は、施設情報表示装置の画面を好きなときに見るだけで、いつでも現在位置周辺のおすすめの施設を使用者が施設情報表示装置を操作しなくてもいつでも表示させることができる。
【００２６】
また、外部の情報サーバと通信を行うことができる通信装置を施設情報表示装置に備えることで、情報サーバ内に保存された情報を検索して表示することができる構成にすることができ、予め施設情報表示装置に施設の情報を保持しておく必要がなく、記憶領域を削減することが出来ることにより施設情報表示装置をより安価で提供することができる上、情報サーバ内の情報を常に更新するように構成することで、使用者はいつでも新鮮な情報を検索することが出来る。
【００２７】
また、おすすめの頻度と施設の分類指定することが出来るので、使用者の好みにあった使用方法で表示させることができる。
【００２８】
また、現在位置の直近の施設は検索しないようにすることで、今訪問中の店舗を検索結果から除くことができると共に、現在位置の直近の施設と同じ分類の施設を検索しないようにすることで、今訪問中の施設と同業の施設を検索結果から除くことができる。例えば喫茶店にいるときに別の喫茶店が検索される、いわゆる「ハシゴ」のような状況を防ぐことが出来る。
【００２９】
また、過去に検索した施設は一定期間検索されないようにする事で、使用者は、その場所を訪れるたびに新しい施設が検索され、旅行中の新たな発見につながることとなり、便利である。
【００３０】
施設情報表示装置が適切なタイミングで施設を提示することが出来るので、使用者は何も操作することなく、画面を見るだけで適切な施設を見つけることができ、また、使用者の興味がある新たな知らない施設を提示することができる。
【図面の簡単な説明】
【００３１】
【図１】本実施形態に係る施設情報表示装置のハードウェア構成を示すブロック図
【図２】施設情報表示装置の詳細な動作を示すフロー図
【図３】本実施形態における表示部に表示される施設の詳細情報の表示例を示す模式図
【図４】検索起動判断の処理を示すフロー図
【図５】本実施形態における検索する分類と頻度を設定する画面の表示例を示す模式図
【図６】検索分類特定処理の動作を示すフロー図
【図７】検索分類特定処理において検索する分類を特定するための規則を定義した表の例を示す模式図
【図８】施設情報表示制御部の処理動作を示すフロー図
【発明を実施するための形態】
【００３２】
次に、本発明の実施形態について図面を用いて詳細に説明する。
図１は、本実施形態に係る施設情報表示装置のハードウェア構成を示すブロック図である。
図１に示すように、本発明の施設情報表示装置１は、ＣＰＵ２と、入力装置３と、インターフェース（図１にはＩ／Ｆと略記）４と、ＧＰＳ受信機４ａと、電子コンパス４ｂと、アンテナ５と、記憶装置６と、ＲＯＭ７と、ＲＡＭ８と、表示装置９と、バスライン１０と、を備えて構成されている。
【００３３】
ここでＣＰＵ２は、現在位置検出部１０１、周辺施設検索部１０２、施設情報表示制御部１０３を備えるように構成された、ＲＯＭ７に格納されたコンピュータプログラムを実行することにより施設情報表示装置１の動作を制御することができるように構成されている。
【００３４】
なお、現在位置検出部１０１は、施設情報表示装置の現在位置と方向を定期的に検出することができるように構成されており、具体的には、現在位置検出部１０１は、ＧＰＳ受信機４ａから施設情報表示装置１の現在位置を含む位置情報を取得し、電子コンパス４ｂから施設情報表示装置１が向いている方角情報を取得することができるように構成されている。
【００３５】
周辺施設検索部１０２は、予め定められた規則に従って定期的に施設情報表示装置１の位置を中心点として、予め定められた規則に従って分類された一定の範囲内に存在する施設を、ＲＡＭ８に読み出された施設情報を使って検索し、ＲＡＭ８に格納することができるように構成されている。
【００３６】
施設情報表示制御部１０３は、周辺施設検索部１０２で検索された複数の施設を一覧にして表示装置９に表示することができるように構成されている。もしくは、周辺施設検索部１０２で検索された複数の施設を、それぞれ分別可能なマークとして、表示装置９に表示されている地図に重ね合わせて表示することができるように構成されている。また、使用者が入力装置３を操作することにより、周辺施設検索部１０２で検索された施設の詳細な情報を表示装置９に表示することができるように構成されている。
【００３７】
入力装置３は、例えばタッチパネルやリモートコントローラのように、施設情報表示装置１に対して使用者による操作入力を行うことができるように構成されている。なお、後述する表示装置９と一緒に構成することで表示装置９を入力装置３に備えたタッチパネルとして使用することができる。
【００３８】
インターフェース４は、ＧＰＳ受信機４ａ及び電子コンパス４ｂが接続されると共に、インターフェース４はバスライン１０と接続されて構成されている。ここで、ＧＰＳ受信機４ａは、アンテナ５を通じて、ＧＰＳ（Ｇｌｏｂａｌ  Ｐｏｓｉｔｉｏｎｉｎｇ  Ｓｙｓｔｅｍ）に代表される測位システムに収容される人工衛星からの電波を受信して、移動体の現在位置を示す位置情報をインターフェース４に出力することができるように構成されている。また、電子コンパス４ｂは、地磁気センサを含んでおり、それにより検出された施設情報表示装置１が向いている方角情報をインターフェース４に出力することができるように構成されている。さらにインターフェース４は、入力された位置情報、並びに方角情報をバスライン１０でＣＰＵ２に転送することができるように構成されている。
【００３９】
記憶装置６は、磁気記録媒体等で構成されており、この記憶装置６には施設情報を表示するために必要な施設情報データベースや地図データが記録され、記憶装置６に記録された情報をＲＡＭ８にバスライン１０を介して転送することができるように構成されている。なお、磁気記録媒体等として例えば、ＨＤＤ（ハードディスクドライブ）、ＳＳＤ（Ｓｏｌｉｄ  Ｓｔａｔｅ  Ｄｒｉｖｅ）、ＣＤ−ＲＯＭ、ＤＶＤ−ＲＯＭ、メモリーカードやＲＯＭなどが挙げられる。
【００４０】
ＲＯＭ７は、施設情報表示装置１の動作を規定するコンピュータプログラム７ａが少なくとも格納されて構成されている。
【００４１】
ＲＡＭ８は、施設情報表示装置１の構成各部から転送されてくる情報を格納すると共に、必要に応じて格納された情報を消去することができるように構成されている。
【００４２】
表示装置９は、検索された施設の詳細な情報を表示することができるように構成されている。具体的には例えば液晶ディスプレイなどで構成されている。なお、前記した入力装置３と組み合わせたタッチパネルを備えた表示装置９としてもよい。
【００４３】
バスライン１０は、施設情報表示装置１の構成各部を通信可能にするために各部を接続して構成されている。
【００４４】
次に、図１に示した施設情報表示装置１の詳細な動作について、図２〜図８を参照して説明する。図２は、施設情報表示装置の動作を示すフローチャートである。
【００４５】
図２に示すように、施設情報表示装置１の現在位置検出部１０１は、施設情報表示装置１の現在位置を検出する（Ｓ１）。次に、施設情報表示制御部１０３は、現在位置検出部１０１で検出された場所に過去以前に表示した施設マークで、現在位置から遠ざかった施設マークがあるか否かを判断する（Ｓ２）。Ｓ２において遠ざかった施設マークがあると判断されると（Ｓ２、Ｙｅｓ）、それらの施設マークを消去する（Ｓ３）。例えば、現在位置の移動に伴い５００ｍ以上離れた範囲に前回表示した施設マークがあればそれらを消去する。次に、現在位置に対応した施設データを自動的に起動するか否かの判定処理を行う（Ｓ４）。なお、Ｓ２において過去以前に表示した施設マークが無い場合には（Ｓ２、Ｎｏ）、Ｓ４に進んで判定処理を行う。Ｓ４における判定処理の結果を用いて検索起動を行うか否かを判断する（Ｓ５）。なお、Ｓ４における検索起動判定処理に関しては別途図を用いて説明する。
【００４６】
Ｓ５において検索起動をすると判断すると（Ｓ５、Ｙｅｓ）、検索する分類を特定する（Ｓ６）。なお、Ｓ６の検索する分類を特定する処理については別途図面を用いて説明する。Ｓ６において検索する分類を特定した結果、検索する分類があるか否かを判断する（Ｓ７）。Ｓ７において、検索する分類が１以上あると判断された場合（Ｓ７、Ｙｅｓ）、周辺施設検索部１０２は、施設の検索を実施する（Ｓ８）。なお、Ｓ８における施設検索方法については、現在位置を中心とした一定範囲の円内、具体例として現在位置から２００ｍ以内に円内のように、現在位置の周辺の施設を抽出する検索方法であればその検索範囲（検索範囲の形状とその大きさ）を問わない。
【００４７】
次に、施設情報表示制御部１０３は、検索した検索結果から除外すべき施設があればそれらを除外する（Ｓ９）。なお、Ｓ９における検索結果一部除外処理については、別途、図面を用いて詳細な説明を後述する。
【００４８】
次に、Ｓ９において検索結果から一部の施設を除外処理が済んだあと、最終的に１以上の施設があるかどうか判断する（Ｓ１０）。Ｓ１０において、検索結果が１以上あると判断された場合（Ｓ１０、Ｙｅｓ）、表示装置９に表示されている地図上に重畳して、検索結果を施設のマークとして表示する（Ｓ１１）。
【００４９】
次に、Ｓ１１で表示された施設のマークにタッチ操作がなされたかどうか判断する（Ｓ１２）。Ｓ１２において、施設マークにタッチ操作がなされたと判断された場合（Ｓ１２、Ｙｅｓ）、タッチされた施設マークに対応する施設の詳細な情報を、表示装置９に表示する（Ｓ１３）。なお、図３は、Ｓ１３における本実施形態における表示部に表示される施設の詳細情報の表示例を示す模式図である。施設の詳細情報の具体例としては、施設名、写真、説明文、電話番号、住所、交通アクセス情報、営業時間、定休日、駐車場有無、などを表示することができる。
【００５０】
次に、入力装置３からＳ１３で表示した施設の詳細情報の表示終了の操作を使用者が行ったかどうかを判断する（Ｓ１４）。Ｓ１４において、入力装置３から表示終了の操作を行わなかったと判断すると（Ｓ１４、Ｎｏ）、そのまま表示装置９に施設の詳細情報の表示を続けＳ１４に戻る。また、Ｓ１４において、入力装置３から表示終了の操作が行われたと判断された場合（Ｓ１４、Ｙｅｓ）、詳細情報を消去する（Ｓ１５）。Ｓ１５において詳細情報を消去した後に、電源がＯＦＦされたか否かを判断する（Ｓ１６）。Ｓ１６において電源がＯＦＦされていないと判断されると（Ｓ１６、Ｎｏ）、Ｓ１に戻り処理を続ける。また、Ｓ１６において電源がＯＦＦされたと判断すると（Ｓ１６、Ｙｅｓ）、処理を終了する。
【００５１】
なお、Ｓ５において検索起動しないと判断した場合（Ｓ５、Ｎｏ）、Ｓ７において検索する分類が無い（Ｓ７、Ｎｏ）、検索結果が無い（Ｓ１０、Ｎｏ）、Ｓ１９において施設マークタッチが無い（Ｓ１２、Ｎｏ）の場合には、Ｓ１６において電源がＯＦＦされたか否かを判断し（Ｓ１６）、電源がＯＦＦされたと判断すると処理を終了し、電源がＯＦＦされていないと判断するとＳ１に戻り処理を継続する。
【００５２】
次に、図２のフロー図におけるＳ４における検索起動判断について図面を用いて説明する。図４は、検索起動判断の処理を示すフロー図である。図５は、本実施形態における検索する分類と頻度を設定する画面の表示例を示す模式図である。なお、図５に示した模式図の下部は、検索する頻度を設定する画面の例である。この例では、検索する頻度を「検索しない」の「０」から「頻繁」の「４」までの５段階で設定出来るようにしてある。なお、図２におけるＳ４の検索起動判断の処理については、図５に示した各頻度の設定に分けてそれぞれ説明を行う。
【００５３】
Ｓ４での検索起動判断の処理は、図４に示すように、まず施設情報表示制御部１０３が検索する頻度の設定値が「０」であるか否かを判断する（Ｓ２０）。Ｓ２０において、頻度の設定値が「０」と判断された場合は（Ｓ２０、Ｙｅｓ）、検索は起動しないこととして終了する。また、Ｓ２０において、頻度の設定値が「０」以外と判断されると（Ｓ２０、Ｎｏ）、画面ＯＦＦからＯＮにした直後かどうかを判断する（Ｓ２１）。Ｓ２１の処理は、施設情報表示装置１を使用者が見ていない場合は、画面を消去することで消費電力を抑えるような機能がある場合、使用者は画面を見たいときは、画面を点灯させる必要がある。その行為を契機に検索が動作すれば、使用者はいつでも検索結果を見ることが出来、便利である。Ｓ２１において、画面ＯＦＦからＯＮにした直後と判断されると（Ｓ２１、Ｙｅｓ）、検索を起動することとして終了する。また、Ｓ２１において、画面ＯＦＦからＯＮにした直後でない判断されると（Ｓ２１、Ｎｏ）、頻度の設定値ごとに、この後の処理を分岐する（Ｓ２２）。
【００５４】
次に各頻度設定の動作について詳細に説明する。
（頻度設定が１の場合）
頻度設定が１の場合（Ｓ２２、１）、検索は起動しないで終了する。つまり、頻度設定が「１」の場合は、Ｓ２１の「画面ＯＦＦからＯＮにした直後のみ」が検索の起動条件となる。
【００５５】
（頻度設定が２の場合）
頻度設定が２の場合（Ｓ２２、２）、現在時刻が、１０：３０、１２：００、１５：００、１７：３０の前後１５分以内かどうか判断する（Ｓ２３）。この時間帯の例は、午前中の休憩どき、昼食どき、午後の休憩どき、夕食どきを想定した時間の例としている。Ｓ２３において、現在時刻が、１０：３０、１２：００、１５：００、１７：３０の前後１５分以内でないと判断された場合（Ｓ２３、Ｎｏ）、検索は起動しないで終了する。また、Ｓ２３において、現在時刻が、１０：３０、１２：００、１５：００、１７：３０の前後１５分以内であると判断された場合（Ｓ２３、Ｙｅｓ）、同日の現在時刻が所属する同時刻期間内で、以前に既に検索結果が見つかったかどうか判断する（Ｓ２４）。具体的には、現在日時が５月１日１０：４０とする。このとき、同日５月１日の１０：１５から１０：４０までの間で既に検索結果を見つけて表示した後であれば、Ｓ２４の判断はＹｅｓとなる。一方、１０：１５から１０：４０までの間で検索は実行したとしても１つも検索結果を見つかっていないのであれば、Ｓ２４の判断はＮｏとなる。Ｓ２４において、同日の現在時刻が所属する同時刻期間内で、以前に既に検索結果が見つかったのであれば（Ｓ２４、Ｙｅｓ）、検索は起動しないこととして終了する。また、Ｓ２４において、同日の現在時刻が所属する同時刻期間内で、以前にまだ検索結果が見つかっていないのであれば（Ｓ２４、Ｎｏ）、前回検索してから５分以上経過したかどうかを判断する（Ｓ２７）。Ｓ２７において、前回検索してから５分以上経過したと判断された場合（Ｓ２７、Ｙｅｓ）、検索を起動することとして終了する。また、Ｓ２７において、前回検索してから５分以上は経過していないと判断された場合（Ｓ２７、Ｎｏ）、検索を起動しないこととして終了する。つまり、頻度設定が「２」の場合は、Ｓ２１の「画面ＯＦＦからＯＮにした直後」と、「１０：３０、１２：００、１５：００、１７：３０の前後１５分である３０分間で、初めて検索結果が見つかるまで」が検索の起動条件である。
【００５６】
（頻度設定が３の場合）
頻度設定が３の場合（Ｓ２５、３）、前回検索結果が見つかってから１時間以上が経過したかどうかを判断する（Ｓ２５）。Ｓ２５において、前回検索結果が見つかってから１時間以上は経過していないと判断された場合は（Ｓ２５、Ｎｏ）、検索は起動しないこととして終了する。また、Ｓ２５において、前回検索結果が見つかってから１時間以上経過したと判断された場合は（Ｓ２５、Ｙｅｓ）、前回検索してから５分以上経過したかどうかを判断する（Ｓ２７）。Ｓ２７において、前回検索してから５分以上経過したと判断された場合（Ｓ２７、Ｙｅｓ）、検索を起動することとして終了する。また、Ｓ２７において、前回検索してから５分以上は経過していないと判断された場合（Ｓ２７、Ｎｏ）、検索を起動しないこととして終了する。つまり、頻度設定が「３」の場合は、Ｓ２１の「画面ＯＦＦからＯＮにした直後」と、「前回検索結果を表示してから１時間経過、かつ前回の検索から５分経過」が検索の起動条件である。
【００５７】
（頻度設定が４の場合）
頻度設定が４の場合（Ｓ２２、４）、前回検索結果が見つかってから２０分以上が経過したかどうかを判断する（Ｓ２６）。Ｓ２６において、前回検索結果が見つかってから２０分以上は経過していないと判断された場合は（Ｓ２６、Ｎｏ）、検索は起動しないこととして終了する。また、Ｓ２６において、前回検索結果が見つかってから２０分以上経過したと判断された場合は（Ｓ２６、Ｙｅｓ）、前回検索してから５分以上経過したかどうかを判断する（Ｓ２７）。Ｓ２７において、前回検索してから５分以上経過したと判断された場合（Ｓ２７、Ｙｅｓ）、検索を起動することとして終了する。また、Ｓ２７において、前回検索してから５分以上は経過していないと判断された場合（Ｓ２７、Ｎｏ）、検索を起動しないこととして終了する。つまり、頻度設定が「４」の場合は、Ｓ２１の「画面ＯＦＦからＯＮにした直後」と、「前回検索結果を表示してから２０分経過、かつ前回の検索から５分経過」が検索の起動条件である。
【００５８】
次に、図２のＳ６における検索分類特定処理について図６、図７を用いて詳細に説明する。図６は、検索分類特定処理の動作を示すフロー図である。図７は、検索分類特定処理において検索する分類を特定するための規則を定義した表の例を示す模式図である。
【００５９】
図６に示すように、施設情報表示制御部１０３は、分類ごとに検索対象となるかどうかを判断するため、変数ｎを１に初期化する（Ｓ３０）。次に、ｎが検索分類の総数より小さいかどうかの判断を行う（Ｓ３１）。Ｓ３１において、ｎが検索分類の総数と同じか大きいと判断されると（Ｓ３１、Ｎｏ）、分類の特定は終了する。また、Ｓ３１において、ｎが検索分類の総数より小さいと判断されると（Ｓ３１、Ｙｅｓ）、ｎ番目の分類が図５の上部に示す設定画面において予め検索するように設定されているかどうかを判断する（Ｓ３２）。Ｓ３２において、ｎ番目の分類が設定画面において検索するように設定されている場合は（Ｓ３２、Ｙｅｓ）、次に、図７を参照し、ｎ番目の分類の「開始日付」「終了日付」が本日の日付を含んでいるか、又は「−」であるか、のいずれかを判断する（Ｓ３３）。Ｓ３３において、ｎ番目の分類の「開始日付」「終了日付」が本日の日付を含んでいるか、又は「−」であるか、のいずれかである場合（Ｓ３３、Ｙｅｓ）、次に、再度、図７を参照し、ｎ番目の分類の「開始時刻」「終了時刻」が現在時刻を含んでいるかどうかを判断する（Ｓ３４）。Ｓ３４において、ｎ番目の分類の「開始時刻」「終了時刻」が現在時刻を含んでいると判断された場合（Ｓ３４、Ｙｅｓ）、次に、再度、図７を参照し、ｎ番目の分類の「優先開始時刻」「優先終了時刻」が現在時刻を含んでいるかどうかを判断する（Ｓ３５）。Ｓ３５において、ｎ番目の分類の「優先開始時刻」「優先終了時刻」が現在時刻を含んでいると判断された場合（Ｓ３５、Ｙｅｓ）、ｎ番目の分類を優先検索分類と設定する（Ｓ３６）。また、Ｓ３５において、ｎ番目の分類の「優先開始時刻」「優先終了時刻」が現在時刻を含んでいないと判断された場合（Ｓ３５、Ｎｏ）、ｎ番目の分類を検索分類と設定する（Ｓ３７）。また、Ｓ３２において、ｎ番目の分類が設定画面において検索するように設定されていない場合（Ｓ３２、Ｎｏ）、及び、Ｓ３３において、ｎ番目の分類の「開始日付」「終了日付」が本日の日付を含んでなく、かつ「−」でもない場合（Ｓ３３、Ｎｏ）、及び、Ｓ３４において、ｎ番目の分類の「開始時刻」「終了時刻」が現在時刻を含んでいないと判断された場合（Ｓ３４、Ｎｏ）のいずれかの場合は、ｎ番目の分類は検索しないものと設定する（Ｓ３８）。Ｓ３６、Ｓ３７、Ｓ３８のあと、ｎを１加算し（Ｓ３９）、Ｓ３１に戻って処理を繰り返す。
【００６０】
ここで、Ｓ３６の「優先検索分類」とＳ３７の「検索分類」について説明する。「優先検索分類」または「検索分類」のいずれかに設定された分類は、施設を検索するＳ８において、検索する対象の分類となる。また、検索された施設は、現在位置から近い順に特定の数、例えば５つの施設マークがＳ１１で地図画面上に重畳表示される。その中で、「優先検索分類」と設定された分類に属する施設は、「検索分類」と設定された分類に属する施設よりも優先して検索結果として表示される。より具体的には、検索結果として「優先検索分類」に属する施設が３つ、「検索分類」に属する施設が４つある場合、Ｓ１１で表示される５つの施設は、「優先検索分類」に属する施設が３つと、「検索分類」に属する施設が現在位置から近い順に２つとなる。つまり、「検索分類」に属する施設のほうが近くても、「優先検索分類」に属する施設を優先して表示する。
【００６１】
次にＳ３３、Ｓ３４、Ｓ３５のより具体的な動作を、図７を用いて説明する。
はじめの例は、現在日時が４月１日１２：００において、ｎが３の場合である。Ｓ３３においては、３番目の分類である「花（桜）」の開始日付は「３／１５」で終了日付は「５／１５」であるため、Ｓ３３はＹｅｓとなる。次にＳ３４において、開始時刻は「９：００」で終了時刻は「２２：００」であるため、Ｓ３４はＹｅｓとなる。次にＳ３５において、優先開始時刻は「９：００」で優先終了時刻は「１０：１５」であるため、Ｓ３５はＮｏとなり、この例では「検索分類」と設定される。つまり、桜の季節ではあるので、検索対象となる。
【００６２】
次の例は、現在日時が５月１日１２：００において、ｎが８の場合である。Ｓ３３においては、８番目の分類である「和食」の開始日付、終了日付は「−」であるため、Ｓ３３はＹｅｓとなる。次にＳ３４において、開始時刻は「１０：００」で終了時刻は「２３：００」であるため、Ｓ３４はＹｅｓとなる。次にＳ３５において、優先開始時刻は「１１：４５」で優先終了時刻は「１３：１５」であるため、Ｓ４６はＹｅｓとなり、この例では「優先検索分類」と設定される。つまり、昼食どきであるため、優先的に検索される対象となる。
【００６３】
最後の例は、現在日時が６月１日８：００において、ｎが１３の場合である。Ｓ３３においては、１３番目の分類である「工芸／服飾雑貨」の開始日付、終了日付は「−」であるため、Ｓ３３はＹｅｓとなる。次にＳ４５において、開始時刻は「１０：００」で終了時刻は「１９：００」であるため、Ｓ３４はＮｏとなり、この例では「検索されない分類」と設定される。つまり、まだお店は開いていないと思われる時間なので、検索されることはない。
【００６４】
次に、図２に示すＳ９における検索した検索結果から除外すべき施設があればそれらを除外する処理について、図８を用いて詳細に説明する。図８は、施設情報表示制御部の処理動作を示すフロー図である。
【００６５】
図８に示すように、施設情報表示制御部１０３は、検索結果の中から現在位置から１０ｍ以内にする存在する施設を除外する（Ｓ４０）。これは、現在位置の直近の施設は、今まさに訪れている施設と考えられ、検索結果としてふさわしくない。この施設を除外することで、使用者にとっての煩わしさを低減することができる。次に、画面をＯＦＦからＯＮした直後の検索かどうかを判断する（Ｓ４１）。Ｓ４１において、画面をＯＦＦからＯＮした直後の検索と判断された場合は（Ｓ４１、Ｙｅｓ）、検索結果の中から現在位置から１０ｍ以内にする存在する施設の分類と同じ分類の施設を検索結果から除外する（Ｓ４２）。これは、今訪問中の施設と同業の施設を検索結果から除くことであり、例えば喫茶店にいるときに別の喫茶店が検索される、いわゆる「ハシゴ」のような状況が防ぐことが目的である。Ｓ４２の次に、及びＳ４１において、画面をＯＦＦからＯＮした直後の検索ではないと判断された場合は（Ｓ４１、Ｎｏ）、検索結果の中から半年以内に検索結果として表示したことがある施設を除外する（Ｓ４３）。これは、過去に検索した施設は一定期間検索されなくすることで、使用者にとっては、その場所に訪れるたびに新しい施設が検索され、旅行中の新たな発見につながるという便利さを提供するためである。以上の処理を行い、終了する。
【００６６】
なお、以上示した実施形態における施設のデータベースは、施設情報表示装置に内蔵するように構成したが、本発明を限定するものではなく、施設情報表示装置に通信装置を設けインターネット上に配置された情報サーバに常に新しい情報に更新可能に保存された施設のデータベースを設け、そのデータベースを取得して施設を検索するように構成してもよい。なお、インターネット上に配置された情報サーバで施設を検索する具体例については、既知の技術であるため説明を割愛する。
【００６７】
また、本発明の実施形態おける施設の詳細な情報は、その施設の施設名、写真、説明文、電話番号、住所、交通アクセス情報、営業時間、定休日、駐車場有無、の情報としたが、本発明を限定するものではなく、その施設のおすすめメニューや料金、説明のための音声データなどを含んでもよく、特にその内容に関して種々に変更しても同様の効果を有すことができる。
【００６８】
また、本発明の実施形態において、Ｓ８における検索の範囲の具体例として、２００ｍの円内としたが、本実施形態に限定するものではなく、任意の検索範囲（距離と形状）を用いても同様の効果を得ることができる。
【００６９】
また、本発明の実施形態において、Ｓ１１における検索結果の表示方法の具体例として、地図画面にマークを重畳して表示するとしたが、本実施形態に限定するものではなく、地図画面を使用しない一覧表示など他の表示方法を用いて表示しても同様の効果を得ることができる。
【００７０】
また、本発明の実施形態において、Ｓ１２における操作をタッチ操作としたが、本実施形態に限定するものではなく、リモコンなど他の入力手段を用いて操作しても同様の効果を得ることができる。
【００７１】
また、本発明の実施形態において、図５で示した検索頻度は、５段階としたが、本実施形態に限定するものではなく、頻度の段階は適切に変更しても同様の効果を得ることができる。
【００７２】
また、本発明の実施形態において、図５や図７で示した分類は、「名所／旧跡」「自然」「花」「和食」「洋食／中華」「軽食」「居酒屋」「カフェ／甘味」「工芸／服飾雑貨」「温泉」の１０種類に分類したが、本実施形態に限定するものではなく、分類の仕方は適切に変更しても同様の効果を得ることができる。
【００７３】
また、本発明の実施形態において、図４で示した検索起動判断処理における規定は本実施形態に限定するものではなく、適切に変更しても同様の効果を得ることができる。
【産業上の利用可能性】
【００７４】
本発明に係る施設情報表示装置は、現在位置付近にあるおすすめの施設などを適切なタイミングで自動的に抽出して使用者に提示することができる施設情報表示装置の用途に適用できる。
【符号の説明】
【００７５】
１    施設情報表示装置
２    ＣＰＵ
３    入力装置
４    インターフェース
４ａ  ＧＰＳ受信機
４ｂ  電子コンパス
５    アンテナ
６    記憶装置
７    ＲＯＭ
８    ＲＡＭ
９    表示装置
１０    バスライン
１０１    現在位置検出部
１０２    周辺施設検索部
１０３    施設情報表示制御部
【図１】
2013047615.tif 000003
【図２】
2013047615.tif 000004
【図３】
2013047615.tif 000005
【図４】
2013047615.tif 000006
【図５】
2013047615.tif 000007
【図６】
2013047615.tif 000008
【図７】
2013047615.tif 000009
【図８】
2013047615.tif 000010